(57)【特許請求の範囲】
【請求項１】
基板上にホルダを設け、このホルダの上に、側面に端子を有する液晶ディスプレイを設け、この液晶ディスプレイにシールド板金を設けてなる表示装置において、
前記ホルダの側面に一方の嵌合部を設け、前記シールド板金に前記一方の嵌合部に嵌合する他方の嵌合部を設け、
前記ホルダの側面に底部を有する凹所を設け、前記凹所の底部に前記端子を通す案内穴を設け、前記底部の側面が、前記シールド板金の当接面となることを特徴とする表示装置。
【請求項２】
前記凹所の底部における１箇所以上に壁部が立設され、前記ホルダの側面及び前記壁部の側面に前記シールド板金が当接すると共に、前記ホルダの側面及び前記壁部の側面に前記一方の嵌合部が設けられていることを特徴とする請求項１記載の表示装置。
【発明の詳細な説明】
【技術分野】
【０００１】
この発明は、液晶ディスプレイを備えた表示装置の構造に関する。
【背景技術】
【０００２】
液晶ディスプレイ（ＬＣＤ：Ｌｉｑｕｉｄ  Ｃｒｙｓｔａｙ  Ｄｉｓｐｌａｙ）は種々の電子機器に採用されている。例えば、オーディオ、ＣＤプレーヤー、その他種々の機器に用いられている。ＬＣＤは基板上に設けられ、シールド板で覆われる。シールド板は、特許文献１に示すように、基板に取り付けられるが、基板の小型化を図るために、シールド板を、ＬＣＤのホルダに取り付けるようにすることが考えられている。シールド板をホルダ又はホルダと基板に嵌合し固定するようにした表示装置の構造の従来のものの例を図５及び図６に示す。
【０００３】
図５、図６に示す構造は、基板１０１、ホルダ１０２、ＬＣＤ１０３、シールド板金１０４からなるもので、基板１０１上にホルダ１０２を設け、その上にＬＣＤ１０３を置き、その上からフレーム状のシールド板金１０４を被せる構造となっている。ＬＣＤ１０３に対しては光源と拡散板が設けられるが、図示は省略している。
【０００４】
ホルダ１０２の長手方向の両側面には嵌合突起１０２ａが３箇所ずつ設けられている。嵌合突起１０２ａ間は凹所１０２ｂとなっている。シールド板金１０４には、嵌合突起１０２ａに嵌合される嵌合穴１０４ａが、嵌合突起１０２ａと同じ位置に設けられている。シールド板金１０４の端尺の側面の底部には、基板１０１に取り付けるための取り付け部１０４ｂが設けられている。ＬＣＤ１０３には端子１０３ａが設けられているが、これらの端子１０３ａはホルダ１０２の凹所１０２ｂに合わせた位置に設けられている。
【０００５】
この図５に示す構造の表示装置にあっては、基板１０１にホルダ１０２を置き、その上にＬＣＤ１０３を載せると共に、その端子１０３ａをホルダ１０２の凹所１０２ｂを沿わせて基板１０１の穴１０１ａに通し、更にその上にシールド板金１０４を被せ、その嵌合穴１０４ａをホルダ１０２の嵌合突起１０２ａに嵌合させると共に、取り付け部１０４ｂを基板１０１側に取り付けることにより組み立てられる。
【０００６】
【特許文献１】特開２００１−１７４８４６号公報
【発明の開示】
【発明が解決しようとする課題】
【０００７】
しかし、図５、図６に示した構造のものでは、ホルダ１０２の側面の嵌合部１０２ａに対応する箇所には端子１０３ａを設けることができないことから、ＬＣＤ１０３における端子１０３ａの配置が分断され、表示装置自体がカスタム仕様となってしまい、コストが嵩んでしまう。また、シールド板金１０４とホルダ１０２との嵌合部以外の部分では、端子１０３ａとシールド板金１０４との間にそれぞれの位置を規制する構造はなく、端子１０３ａとシールド板金１０４とが接触しショートするおそれがあった。
【０００８】
この発明は、このような状況にかんがみてなされたもので、規格化されたＬＣＤを使用することができ、しかも端子とシールド板金とのショートを生ずることのない表示装置を提供することを目的とする。
【課題を解決するための手段】
【０００９】
この発明に係る表示装置は、基板上にホルダを設け、このホルダの上に、側面に端子を有するＬＣＤを設け、このＬＣＤにシールド板金を設けてなる表示装置において、前記ホルダの側面に一方の嵌合部を設け、前記シールド板金に前記一方の嵌合部に嵌合する他方の嵌合部を設け、前記ホルダの側面における前記一方の嵌合部より内側に、前記端子を案内する案内部を設け、この案内部の側面に、前記シールド板金の側壁が当接するようにしたものである。
【発明の効果】
【００１０】
この発明に係る表示装置によれば、ホルダの側面に、ＬＣＤの端子を案内する案内部を設けてあるので、ＬＣＤの端子を分断する必要がなく、ＬＣＤをカスタマイズする必要がなくなるのでコストの削減となる。また、案内部がシールド板金に当接しその位置を規制するので、シールド板金と端子のショートを防ぐことができる。
【発明を実施するための最良の形態】
【００１１】
実施の形態１．
この発明に係る表示装置の実施の形態１を図１〜４に基づき説明する。図１は、実施の形態１に係る表示装置の分解斜視図であり、図２、図３、図４は組み立てた状態の位置を異にする半断面図である。この実施の形態は、この発明をオーディオなどの表示装置に適用したものである。
【００１２】
実施の形態１に係る表示装置１は、基板２と、その上に設けられるホルダ３と、ホルダ３上に設けられるＬＣＤ４と、ＬＣＤ４に被せられ、ＬＣＤ４をホルダ３に固定するシールド板金５とからなる。ＬＣＤ４の両側部には、端子６が連続して設けられている（図では一方側部の端子６のみを示す）。このＬＣＤ４としては規格品を用いることができる。なお、ＬＣＤ４に対しては光源と拡散板が設けられるが、図示省略してある。
【００１３】
ホルダ３の長尺（左右）の側面７には、案内部として底部８を有する凹所（スペース）９が設けられている。底部８の側面８ａは、側面７と同じ面となっている。この凹所９の長さは、ＬＣＤ４のすべての端子６を収納できる長さとなっている。底部８には、各端子６を通すための案内穴１０が設けられている。底部８の側部の長手方向中央部には壁部１１が設けられている。この壁部１１の外側面１２は、ホルダ３の側面７の延長上にある。つまり、ホルダ３の左右の側面７間の寸法と左右の壁部１１間の距離とは同じとなっている。ホルダ３の側面７及び壁部１１の外側面１２には、一方の嵌合部として嵌合突起１３が設けられている。
【００１４】
シールド板金５は、金属製で枠状をなしており、ＬＣＤ４の表面に当たる表面部１４と、左右（長手方向）の側面部１５及び前後の側面部１６とからなっている。左右の側面部１５には、前記嵌合突起１３に嵌合する嵌合穴１７が設けられている。なお、嵌合突起１３は、嵌合穴１７との嵌合を容易とするため、斜面が付けられている。また、嵌合突起１３と嵌合穴１７とは相対的なもので、ホルダ３とシールド板金５のいずれか一方に嵌合突起１３が設けられ、他方に嵌合穴１７が設けられるようにすればよい。
【００１５】
シールド板金５の前後の側面部１６の下端には、基板２への取り付け部１８が設けられている。取り付け部１８は切欠き１８ａを有するカギ状をなし、図示はされていないが、基板２に設けられた取り付けスリットに通され、切欠き１８ａで折り曲げることによりスリットから抜けないように留められる。また、基板２には、ＬＣＤ４の端子６を通すための貫通穴１９が設けられている。
【００１６】
この表示装置１を組み立てるには、基板２上にホルダ３を配置し、次いでホルダ３の上にＬＣＤ４を載せる。ＬＣＤ４の端子６はホルダ３の凹所９に入り、端子６の先端部は、底部８に設けられている案内穴１０に通され、更に基板２の貫通穴１９に通される。貫通穴１９より突出する端子６の先端部は、液晶ディスプレイ駆動用ＩＣなどに接続される。次いで、ＬＣＤ４にシールド板金５を被せる。シールド板金５を押し込むことにより、シールド板金５の側面部１５、１６はホルダ３の前後及び左右の側面７に沿う。シールド板金５の側面部１５に設けられている嵌合穴１７は、ホルダ３の側面７及び壁部１１に設けられている嵌合突起１３と嵌合される。また、シールド板金５の他の側面部１６に設けられている取り付け部１８が基板２のスリットに通され、かつ折り曲げることにより基板２に留められる。
【００１７】
この表示装置１では、ホルダ３に設けた案内部としての凹所９及び案内穴１０により連続する端子６をすべて案内することができるので、ＬＣＤ４としては規格品を使うことができる。また、シールド板金５の側面部１５が、ホルダ３の側面７（底部８の側面８ａ）及び壁部１１の外側面１２に当接して位置規制されるので、側面部１５が端子６側に変形して端子６と接触してショートするといった不具合は生じない。
【図面の簡単な説明】
【００１８】
【図１】本発明の実施の形態１に係る表示装置の分解斜視図である。
【図２】実施の形態１に係る表示装置における側面と壁部との間における長手方向に直交する方向の半断面図である。
【図３】壁部における長手方向に直交する方向の半断面図である。
【図４】ホルダの側面における長手方向に直交する方向の半断面図である。
【図５】従来の表示装置の１例を示す分解斜視図である。
【図６】図５の表示装置の断面図である。
【符号の説明】
【００１９】
１  表示装置、２  基板、３  ホルダ、４  ＬＣＤ、５  シールド板金、６  端子、９凹所、１０  案内穴、１１  壁部、１３  嵌合突起、１７  嵌合穴。
【図１】
0004836883.tif 000002
【図２】
0004836883.tif 000003
【図３】
0004836883.tif 000004
【図４】
0004836883.tif 000005
【図５】
0004836883.tif 000006
【図６】
0004836883.tif 000007